(57)【要約】【課題】一方の携帯端末において、他方の携帯端末において取得されていたデジタルコンテンツを取得する場合に、その取得の利便性を向上させること。【解決手段】携帯端末に、デジタルコンテンツの提供先を示す情報を取得する手段と、デジタルコンテンツに含まれるコンテンツ情報を取得する手段と、コンテンツ情報と、デジタルコンテンツの提供先を示す情報を登録する手段と、登録されたコンテンツ情報及びデジタルコンテンツの提供先を示す情報を他の携帯端末に通知する手段とを有する。【選択図】図１
2009251882.tif 000002
【特許請求の範囲】
【請求項１】
デジタルコンテンツの提供先を示す情報を取得する手段と、
前記デジタルコンテンツに含まれるコンテンツ情報を取得する手段と、
前記コンテンツ情報と、前記デジタルコンテンツの提供先を示す情報を登録する手段と、
前記登録された前記コンテンツ情報及びデジタルコンテンツの提供先を示す情報を他の携帯端末に通知する手段と
を有する携帯端末。
【請求項２】
請求項１に記載の携帯端末において、
前記登録する手段は、該デジタルコンテンツの提供先に対応するブックマークを生成し、
前記通知する手段は、前記デジタルコンテンツの提供先に対応するブックマークを他の携帯端末に通知する携帯端末。
【請求項３】
請求項１又は２に記載の携帯端末において、
前記デジタルコンテンツの提供先は、前記デジタルコンテンツのURL(Uniform  Resource  Locator)である携帯端末。
【請求項４】
請求項１ないし３のいずれか１項に記載の携帯端末において、
前記デジタルコンテンツには、静止画、動画、音楽、ゲーム、アプリ、ツール及びドキュメントのいずれか１つが含まれる携帯端末。
【請求項５】
請求項１ないし４のいずれか１項に記載の携帯端末において、
利用できないデジタルコンテンツを削除する手段
を有し、
前記コンテンツ情報には、当該デジタルコンテンツの利用の制限に関する情報が含まれ、
前記削除する手段は、前記利用の制限に関する情報に基づいて、利用できないデジタルコンテンツを削除する携帯端末。
【請求項６】
請求項５に記載の携帯端末において、
前記登録する手段は、前記前記利用の制限に関する情報に基づいて、登録された前記コンテンツ情報及びデジタルコンテンツの提供先を示す情報を更新する携帯端末。
【請求項７】
請求項５又は６に記載の携帯端末において、
前記登録された前記コンテンツ情報及びデジタルコンテンツの提供先を示す情報のうち、削除されたデジタルコンテンツに対応するものに対して、削除されたことを表示する携帯端末。
【請求項８】
携帯端末が、デジタルコンテンツの提供先を示す情報を取得するステップと、
前記携帯端末が、前記デジタルコンテンツに含まれるコンテンツ情報を取得するステップと、
前記携帯端末が、前記コンテンツ情報と、前記デジタルコンテンツの提供先を示す情報を登録するステップと、
前記携帯端末が、前記登録された前記コンテンツ情報及びデジタルコンテンツの提供先を示す情報を他の携帯端末に通知するステップと
を有する方法。
【請求項９】
請求項８に記載の方法において、
前記登録するステップは、該デジタルコンテンツの提供先に対応するブックマークを生成し、
前記通知するステップは、前記デジタルコンテンツの提供先に対応するブックマークを他の携帯端末に通知する方法。
【発明の詳細な説明】
【技術分野】
【０００１】
本発明は、移動無線通信技術に関し、特にデジタルコンテンツを取得することができる携帯端末及び方法に関する。
【背景技術】
【０００２】
デジタルコンテンツを取得でき、該取得したデジタルコンテンツを再生できる携帯端末が存在する。携帯端末には、例えば携帯電話が含まれる。例えば、デジタルコンテンツは、コンテンツプロバイダから提供される。デジタルコンテンツには、静止画、動画、音楽、ゲーム、アプリ、ツール、ドキュメントが含まれる。
【０００３】
また、ある携帯端末にダウンロードされたデジタルコンテンツを、他の携帯端末においても再生したいという要求がある。例えば、ある携帯端末から、他の携帯端末へ変更する場合が該当する。例えば、ある携帯端末から、他の携帯端末へ機種変更する場合が含まれる。しかし、コンテンツプロバイダから提供されるデジタルコンテンツには、著作権により厳密に管理されているものが多い。このため、該コンテンツの使用に関しては、様々な制限がある。特に、有料であるデジタルコンテンツは利用期間や利用回数、利用できる携帯端末が制限されているものが多い。
【特許文献１】ＷＯ２００３／０３４６５１
【特許文献２】特開２００６−９９６９８
【特許文献３】特開２００７−３７１３１
【発明の開示】
【発明が解決しようとする課題】
【０００４】
機種変更が行われる場合に、機種変更後の携帯端末へ、機種変更前の携帯端末に格納されたデジタルコンテンツを移動できない場合が多い。例えば、機種変更前の携帯端末に格納されたデジタルコンテンツを移動できない場合には、機種変更前の携帯端末が故障していることにより、該デジタルコンテンツを移動できない場合が含まれる。また、例えば、機種変更前の携帯端末に格納されたデジタルコンテンツを移動できない場合には、該デジタルコンテンツに記録メディアへの移行ができないように設定されているために、該デジタルコンテンツを移動できない場合が含まれる。このため、機種変更後の携帯端末で、機種変更前の携帯端末に格納されたデジタルコンテンツを取得したい場合には、再度、変更後の携帯端末を操作することにより、コンテンツプロバイダにアクセスして、該デジタルコンテンツを取得する必要がある。
【０００５】
また、例えば、該携帯端末に格納されたデジタルコンテンツを、記録メディアにより、他の携帯端末に移行する方法がある。しかし、この方法では、機種変更前の携帯端末が故障している場合には、機種変更後の携帯端末へ、機種変更前の携帯端末に格納されたデジタルコンテンツを移動できない。また、該デジタルコンテンツに記録メディアへの移行ができないように設定されている場合には、機種変更後の携帯端末へ、機種変更前の携帯端末に格納されたデジタルコンテンツを移動できない。現状では、機種変更前の携帯端末が故障していることにより、該デジタルコンテンツを移動できない場合には、不正をしない限り、機種変更後の携帯端末へ、該デジタルコンテンツの移行はできない。このため、友人・知人に直接該デジタルコンテンツを紹介する際には、その紹介の度に取得先のURL(Uniform  Resource  Locator)を調べる必要がある。
【０００６】
また、デジタルコンテンツが音楽である場合、該デジタルコンテンツを提供するコンテンツプロバイダが複数存在する場合がある。そのため、機種変更後の携帯端末で曲名を検索した場合、複数のコンテンツプロバイダが該当する場合がある。この場合、今まで聞いていたデジタルコンテンツを提供するコンテンツプロバイダを特定するのは困難である。
【０００７】
また、携帯端末にデジタルコンテンツが格納される場合、該デジタルコンテンツは、メモリー及び／又はHD(hard  disk)に格納される。該コンテンツは、利用制限を越えても、ユーザが削除しない限り、メモリー及び／又はHD(hard  disk)に格納され続ける。このため、使用できる記憶容量を減少させる。このような問題に対して、再生制限を超えたために再生できない不要なデジタルコンテンツを自動削除する携帯端末が存在する。しかし、この携帯端末では、不要なデジタルコンテンツが、ユーザの同意なしで自動削除される。このため、その後、そのデジタルコンテンツを再購入したい場合など、アクセスするコンテンツプロバイダが分からない問題が残る。
【０００８】
また、デジタルコンテンツをブックマークに登録する技術も存在する。例えば、ストーリーミングコンテンツ及び携帯端末にダウンロード済みのデジタルコンテンツを、途中から再生するために、特定時点（再生開始地点）をブックマークする。このデジタルコンテンツをブックマークに登録する技術では、特定時点をブックマークする他に特定情報が保存される。特定情報には、ブックマークされたコンテンツが再生された時間、ブックマークされたコンテンツのブックマークされたフレーム、ブックマークされたコンテンツの再生時に再び開始するフレーム（以下、開始フレームという）、ブックマークされたコンテンツを提供していたURL、ブックマークされたコンテンツサービスを受けていた携帯端末の認証情報、その識別番号などが含まれる。この特定情報が、コンテンツ提供サーバに送信されることにより、サービスが実現される。この方法では、ストーリーミングコンテンツにおける特定時点からの途中再生の実現には、コンテンツ提供サーバというシステム構築が必要である。また、携帯端末とコンテンツ提供サーバとの間で通信が発生する。また、このデジタルコンテンツをブックマークに登録する技術では、コンテンツを提供しているURLがブックマークとして保存されるが、取得したコンテンツの利用制限の条件（利用回数、利用期間等）は管理されない。
【０００９】
そこで、本携帯端末及び方法は上述した問題点の少なくとも１つを解決するためになされたものであり、一方の携帯端末において、他方の携帯端末において取得されていたデジタルコンテンツを取得する場合に、その取得の利便性を向上させることのできる携帯端末及び方法を提供する。
【課題を解決するための手段】
【００１０】
上記課題を解決するため、この携帯端末は、
デジタルコンテンツの提供先を示す情報を取得する手段と、
前記デジタルコンテンツに含まれるコンテンツ情報を取得する手段と、
前記コンテンツ情報と、前記デジタルコンテンツの提供先を示す情報を登録する手段と、
前記登録された前記コンテンツ情報及びデジタルコンテンツの提供先を示す情報を他の携帯端末に通知する手段と
を有する。
【００１１】
この方法は、
携帯端末が、デジタルコンテンツの提供先を示す情報を取得するステップと、
前記携帯端末が、前記デジタルコンテンツに含まれるコンテンツ情報を取得するステップと、
前記携帯端末が、前記コンテンツ情報と、前記デジタルコンテンツの提供先を示す情報を登録するステップと、
前記携帯端末が、前記登録された前記コンテンツ情報及びデジタルコンテンツの提供先を示す情報を他の携帯端末に通知するステップと
を有する。
【発明の効果】
【００１２】
開示の携帯端末及び方法によれば、一方の携帯端末において、他方の携帯端末において取得されていたデジタルコンテンツを取得する場合に、その取得の利便性を向上させることができる。
【発明を実施するための最良の形態】
【００１３】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
（第１の実施例）
本実施例に係るコンテンツ提供システムについて、図１を参照して説明する。
【００１４】
本実施例に係るコンテンツ提供システムは、携帯端末１００を有する。携帯端末１００は、後述するコンテンツプロバイダ４００により取得したデジタルコンテンツの提供先を示す情報と、該デジタルコンテンツに含まれるコンテンツ情報を記録する。そして、携帯端末１００は、該デジタルコンテンツの提供先を示す情報と該コンテンツ情報とを登録する。例えば、携帯端末１００は、該デジタルコンテンツの提供先を示す情報と記録したコンテンツ情報とをブックマークに変換し、保存する。ブックマークとは、ウェブ（Web）ブラウザに任意のウェブサイトを登録する機能である。このようにすることにより、ブックマークを選択することにより、該URLに移動できる。このため、逐次ウェブブラウザのアドレス欄にURLを入力する必要がない。
【００１５】
本実施例に係るコンテンツ提供システムは、基地局２００を有する。基地局２００は、当該基地局２００のカバーするエリアに在圏する携帯端末１００と通信を行う。基地局２００には、通信網３００を介して、コンテンツプロバイダ４００が接続される。基地局２００は、コンテンツプロバイダ４００により提供されるデジタルコンテンツを、該デジタルコンテンツを要求した携帯端末１００に送信する。
【００１６】
本実施例に係るコンテンツ提供システムは、コンテンツプロバイダ４００を有する。コンテンツプロバイダ４００は、携帯端末１００により要求されたデジタルコンテンツを、該携帯端末１００に提供する。
【００１７】
本実施例に係る携帯端末１００について詳細に説明する。
【００１８】
本実施例に係る携帯端末１００は、送受信部１０２を有する。送受信部１０２は、コンテンツプロバイダ４００に、デジタルコンテンツを要求する要求信号を送信する。この要求信号は、該携帯端末１００の位置するエリアをカバーする基地局２００を経由して、コンテンツプロバイダ４００に送信される。また、送受信部１０２は、コンテンツプロバイダ４００により送信されたデジタルコンテンツを受信する。このデジタルコンテンツは、該携帯端末１００の位置するエリアをカバーする基地局２００を経由して、携帯端末１００に提供される。そして、送受信部１０２は、該デジタルコンテンツを取得した場合にアクセスしているデジタルコンテンツの提供先を示す情報、例えばURLを記録する。送受信部１０２は、取得したデジタルコンテンツと、URLとを後述する解析部１０４に入力する。
【００１９】
また、本実施例に係る携帯端末１００は、解析部１０４を有する。解析部１０４は、入力されたデジタルコンテンツに含まれるコンテンツ情報を解析する。例えば、コンテンツ情報には、デジタルコンテンツのID、ファイル名、タイトル、利用制限種別、取得日時、利用制限値及び取得先のうち、少なくとも１つが含まれるようにしてもよい。ここで、利用制限種別には、再生条件が含まれるようにしてもよい。例えば、再生条件には、再生回数、再生時間が含まれるようにしてもよい。また、例えば、残利用制限値は、利用できる残りの期間及び／回数を示す。例えば、解析部１０４は、入力されたデジタルコンテンツに含まれるコンテンツ情報を抽出する。解析部１０４は、入力されたデジタルコンテンツと共に、該コンテンツ情報と、URLを後述するデジタルコンテンツ管理部へ入力する。
【００２０】
また、本実施例に係る携帯端末１００は、デジタルコンテンツ管理部１０６を有する。デジタルコンテンツ管理部１０６は、入力されたデジタルコンテンツを後述するデジタルコンテンツ格納部１０８に入力する。また、デジタルコンテンツ管理部１０６は、入力されたコンテンツ情報と、URLとを、後述するデジタルコンテンツ管理テーブル１１０４に格納する。この場合、デジタルコンテンツ管理部１０６は、コンテンツ情報に含まれる利用制限種別に基づいて、残利用制限値を求める。そして、デジタルコンテンツ管理部１０６は、求めた残利用制限値をデジタルコンテンツ管理テーブル１１０４に格納する。また、デジタルコンテンツ管理部１０６は、URLと共に、コンテンツ情報に含まれるデジタルコンテンツのIDとタイトルとをブックマーク生成部１１２に入力する。
【００２１】
また、デジタルコンテンツ管理部１０６は、当該携帯端末１００に対して、デジタルコンテンツの再生要求が行われた場合、該デジタルコンテンツの再生を行ってよいかを判断する。例えば、デジタルコンテンツ管理部１０６は、デジタルコンテンツ管理テーブル１１０４を参照し、該デジタルコンテンツ管理テーブル１１０４に含まれる残利用制限値に基づいて、再生が可能であるかを判断する。再生可能であると判断された場合、デジタルコンテンツ管理部１０６は、後述する再生部１１４に対して再生命令を行う。また、再生不可能であると判断された場合、再生が不可能であることを通知するようにしてもよい。また、デジタルコンテンツ管理部１０６は、デジタルコンテンツを再生した場合には、利用制限種別に応じて、デジタルコンテンツ管理テーブル１１０４の更新を行う。また、デジタルコンテンツ管理部１０６は、利用できる残りの期間及び／又は回数を超えているデジタルコンテンツを判断する。そして、デジタルコンテンツ管理テーブル１１０４は、利用できる残りの期間及び／又は回数を超えているデジタルコンテンツを削除する命令を、デジタルコンテンツ格納部１０８に対して行う。また、デジタルコンテンツ管理テーブル１１０４は、利用できる残りの期間及び／又は回数を超えているデジタルコンテンツに対するブックマークを更新する命令を、ブックマーク生成部１１２に対して行う。
【００２２】
また、本実施例に係る携帯端末１００は、デジタルコンテンツ格納部１０８を有する。デジタルコンテンツ格納部１０８は、デジタルコンテンツ管理部１０６により入力されたデジタルコンテンツを、記憶部１１０に格納する。また、デジタルコンテンツ格納部１０８は、デジタルコンテンツ管理部１０６による削除する命令に従って、利用制限を超えているデジタルコンテンツを削除する。
【００２３】
また、本実施例に係る携帯端末１００は、記憶部１１０を有する。記憶部１１０には、デジタルコンテンツ１１０２、デジタルコンテンツ管理テーブル１１０４及びデジタルコンテンツブックマーク１１０６が格納される。
【００２４】
また、本実施例に係る携帯端末１００は、ブックマーク生成部１１２を有する。ブックマーク生成部１１２は、入力されたデジタルコンテンツのIDと、タイトルと、URLとに基づいて、ブックマークを作成し、該作成したブックマークを後述するブックマーク１１０６に格納する。この場合、ブックマーク生成部１１２は、ブックマークにタイトルをつけて保存する。取得先のURLにアクセスした場合に、該当するデジタルコンテンツをダウンロードできる観点からは、該取得先のURLはデジタルコンテンツの取得先であることが好ましい。本実施例では、デジタルコンテンツが取得された場合に、その取得先のURLが取得される。このため、デジタルコンテンツを取得できるページがブックマークされる場合とは異なる。このようにすることにより、ユーザは欲しいデジタルコンテンツを直接指定することができる。
【００２５】
また、ブックマーク生成部１１２は、デジタルコンテンツ管理部１０６により、ブックマークを更新する命令が入力された場合に、該ブックマークに削除フラグを付与する。例えば、デジタルコンテンツ管理部１０６は、デジタルコンテンツ管理テーブル１１０４により、利用できる残りの期間及び／又は回数を超えているデジタルコンテンツが存在する場合、ブックマークを更新する命令を入力する。例えば、図２に示すように、作成されたブックマークが表示された場合に、利用制限を超えているデジタルコンテンツに対応するブックマークに、削除されたことが示される。図２には、登録されたブックマークのうち、ブックマーク「えええ」に対応するデジタルコンテンツが削除されたことを示す。
【００２６】
また、本実施例に係る携帯端末１００は、再生部１１４を有する。再生部１１４は、デジタルコンテンツ管理部１０６により入力された再生命令に応じて、記憶部１１０に格納されたデジタルコンテンツのうち、該当するデジタルコンテンツの再生を行う。
【００２７】
また、本実施例に係る携帯端末１００は、タイマ部１１６を有する。タイマ部１１６は、利用制限における時間管理を行う。
【００２８】
デジタルコンテンツ管理テーブルの一例について、図３を参照して説明する。デジタルコンテンツ管理テーブル１１０４は、記憶部１１０に格納される。
【００２９】
デジタルコンテンツ管理テーブル１１０４には、デジタルコンテンツIDが含まれる。デジタルコンテンツIDは、該デジタルコンテンツのIDである。デジタルコンテンツIDは、該デジタルコンテンツに含まれる。
【００３０】
また、デジタルコンテンツ管理テーブル１１０４には、ファイル名が含まれる。ファイル名は、デジタルコンテンツを示すファイル名である。ファイル名は、デジタルコンテンツに含まれる。
【００３１】
また、デジタルコンテンツ管理テーブル１１０４には、タイトルが含まれる。タイトルは、デジタルコンテンツのブックマークに表示するコンテンツ名であってもよい。
【００３２】
また、デジタルコンテンツ管理テーブル１１０４には、利用制限種別が含まれる。利用制限種別は、該デジタルコンテンツの利用に関する制限を示す。例えば、利用制限には、無制限、回数、期限、期間が含まれるようにしてもよい。ここで、期限には、デジタルコンテンツの利用に関する終期を示す情報が含まれるようにしてもよい。また、期間には、該デジタルコンテンツを取得してから、該デジタルコンテンツを利用できる期間の情報が含まれるようにしてもよい。この場合、例えば、日数の情報が含まれるようにしてもよい。図３には、無制限の場合と０とが対応付けられ、回数の場合と１とが対応付けられ、期限の場合と２とが対応付けられ、期間の場合と３とが対応付けられている場合について示す。
【００３３】
また、デジタルコンテンツ管理テーブル１１０４には、取得日時が含まれる。取得日時は、デジタルコンテンツを取得した日時を示す。例えば、デジタルコンテンツをダウンロードした日時であってもよい。
【００３４】
また、デジタルコンテンツ管理テーブル１１０４には、利用制限値が含まれる。利用制限値は、利用できる残りの期間及び／回数を示す。利用制限値は、デジタルコンテンツ毎に、該デジタルコンテンツに対応する利用できる期間の初期値又は回数の最大値が含まれる。例えば、利用制限が無制限である場合には０、回数である場合には最大回数、期限である場合には終期、期間である場合にはその期間が含まれるようにしてもよい。
【００３５】
また、デジタルコンテンツ管理テーブル１１０４には、利用できる残りの期間及び／又は回数を示す値である残利用制限値が含まれる。例えば、利用制限値が回数である場合には残りの使用回数、利用制限が期間である場合には残りの使用期間（日）としてもよい。図３には、利用制限が無制限である場合を−１とした場合を示す。また、利用制限を期限とした場合には、期間に変更するようにしてもよい。図３には、利用制限を期限とした場合に、期間に変更した場合を示す。この場合、例えば、（利用制限値−今日の年月日）により求められる期間が含まれるようにしてもよい。図３には、今日の年月日が2007/8/11の例を示す。
【００３６】
また、デジタルコンテンツ管理テーブル１１０４には、超過フラグが含まれる。超過フラグは、利用制限を超えたか否かを示すフラグである。例えば、デジタルコンテンツ毎に、付与される。言い換えれば、超過フラグは、該デジタルコンテンツを利用可能であるか否かを示すフラグである。例えば、利用制限を超過していない利用制限未超過である場合には０、利用制限を超過している利用制限超過である場合には１が格納される。デジタルコンテンツ管理部１０６は、利用制限超過であるコンテンツについては利用不可であり、さらに削除対象であると判断する。
【００３７】
また、デジタルコンテンツ管理テーブル１１０４には、削除済フラグが含まれる。削除済フラグは、デジタルコンテンツ毎に付与され、該デジタルコンテンツが削除されたか否かを示すフラグである。図３の例によれば、未削除である場合には０、自動削除済みである場合には１が対応付けられる。
【００３８】
また、デジタルコンテンツ管理テーブル１１０４には、取得先情報が含まれる。取得先情報には、該デジタルコンテンツを取得した取得先を示す情報が含まれる。取得先情報は、デジタルコンテンツ毎に付与される。例えば、コンテンツプロバイダ４００によりダウンロードした場合には、そのダウンロード先のURLが含まれるようにしてもよい。また、取得したデジタルコンテンツが写真や動画である場合には、その写真や動画を取得した場合に使用したハードウェアの情報であってもよい。例えば、「カメラ」が格納されるようにしてもよい。図３には、取得先の情報がURLであった場合について示される。また、取得先が不明である場合には、「０」が格納されるようにしてもよい。
【００３９】
また、デジタルコンテンツ管理テーブル１１０４には、該デジタルコンテンツを取得した場合にアクセスしたURLのうち、直近にアクセスしたURLを示す取得時最終アクセスURLが含まれる。言い換えれば、取得時最終アクセスURLには、該デジタルコンテンツを取得した場合に最終的にアクセスしたURLの情報が含まれる。取得時最終アクセスURLは、デジタルコンテンツ毎に付与される。デジタルコンテンツを最初に取得した場合にアクセスしたURLと、該デジタルコンテンツを２回目以降に取得した場合にアクセスしたURLとが異なる場合があるためである。例えば、URLが変更された場合が該当する。このような場合に、デジタルコンテンツを取得した場合に、最終的にアクセスしたURLが格納される。
【００４０】
デジタルコンテンツブックマークの一例について、図４を参照して説明する。デジタルコンテンツブックマーク１１０６は、記憶部１１０に格納される。
【００４１】
デジタルコンテンツブックマーク１１０６には、タイトルが含まれる。タイトルが含まれる。タイトルは、デジタルコンテンツのブックマークに表示するコンテンツ名を示す。このタイトルは、デジタルコンテンツ管理テーブル１１０４に格納されているタイトルと同様であってもよい。  デジタルコンテンツブックマーク１１０６には、削除済フラグが含まれる。削除済フラグは、デジタルコンテンツ毎に付与される、該デジタルコンテンツが削除されたか否かを示すフラグである。図４の例によれば、未削除である場合には０、自動削除済みである場合には１が対応付けられる。この削除済フラグは、デジタルコンテンツ管理テーブル１１０４に格納されている削除済フラグと同様であってもよい。
【００４２】
デジタルコンテンツブックマーク１１０６には、取得時最終アクセスURLが含まれる。取得時最終アクセスURLには、デジタルコンテンツ毎に、該デジタルコンテンツを取得した場合に最終的にアクセスしたURLの情報が含まれる。デジタルコンテンツを最初に取得した場合にアクセスしたURLと、該デジタルコンテンツを２回目以降に取得した場合にアクセスしたURLとが異なる場合があるためである。例えば、URLが変更された場合が該当する。このような場合に、デジタルコンテンツを取得した場合に、最終的にアクセスしたURLが格納される。この取得時最終アクセスURLは、デジタルコンテンツ管理テーブル１１０４に格納されている取得時最終アクセスURLと同様であってもよい。
【００４３】
デジタルコンテンツブックマーク１１０６には、デジタルコンテンツIDが含まれる。デジタルコンテンツIDは、該デジタルコンテンツのIDである。デジタルコンテンツIDは、該デジタルコンテンツに含まれる。このデジタルコンテンツIDは、デジタルコンテンツ管理テーブル１１０４に格納されているデジタルコンテンツIDと同様である。
【００４４】
本実施例に係る携帯端末１００の動作について、説明する。
【００４５】
コンテンツプロバイダ４００からデジタルコンテンツを取得し、該デジタルコンテンツをブックマークに登録する処理について、図５を参照して説明する。
【００４６】
携帯端末１００は、コンテンツプロバイダ４００からデジタルコンテンツをダウンロードする（ステップＳ５０２）。例えば、送受信部１０２は、ユーザが当該携帯端末１００を操作することにより要求されたデジタルコンテンツをダウンロードする。
【００４７】
携帯端末１００は、ダウンロードしているデジタルコンテンツの提供先のURLを取得する（ステップＳ５０４）。例えば、送受信部１０２は、該デジタルコンテンツを取得した場合にアクセスしているURLを記録する。
【００４８】
携帯端末１００は、該デジタルコンテンツに含まれるコンテンツ情報を抽出する（ステップＳ５０６）。例えば、解析部１０４は、該デジタルコンテンツに含まれるコンテンツ情報を抽出する。コンテンツ情報には、デジタルコンテンツのID、ファイル名、タイトル、利用制限種別、取得日時、利用制限値及び取得先のうち、少なくとも１つが含まれるようにしてもよい。例えば、デジタルコンテンツ管理部１０６は、コンテンツ情報と、URLとを、記憶部１１０のデジタルコンテンツ管理テーブル１１０４に格納する。ここで、コンテンツ情報に取得先の情報が含まれていない場合には、アクセスURLを取得先の情報として格納するようにしてもよい。
【００４９】
携帯端末１００は、デジタルコンテンツを格納する（ステップＳ５１０）。例えば、デジタルコンテンツ管理部１０６は、入力されたデジタルコンテンツをデジタルコンテンツ格納部１０８に入力する。デジタルコンテンツ格納部１０８は、入力されたデジタルコンテンツを記憶部１１０に格納する。
【００５０】
携帯端末１００は、ブックマークを登録する（ステップＳ５１２）。例えば、ブックマーク生成部１１２は、コンテンツ情報と、デジタルコンテンツの提供先を示す情報とをブックマークに登録する。ここで、コンテンツ情報には、デジタルコンテンツのＩＤと、タイトルとが含まれる。
【００５１】
次に、コンテンツプロバイダ４００からデジタルコンテンツを取得し、該デジタルコンテンツの再生が行われた場合における、デジタルコンテンツ管理テーブルを更新する処理について、図６を参照して説明する。
【００５２】
デジタルコンテンツの再生要求が行われる（ステップＳ６０２）。例えば、ユーザが、当該携帯端末１００を操作することにより入力されたコンテンツ再生要求は、デジタルコンテンツ管理部１０６に入力される。例えば、コンテンツ再生要求には、要求されたデジタルコンテンツに対応するデジタルコンテンツIDが含まれる。
【００５３】
携帯端末１００は、コンテンツ再生要求に含まれるデジタルコンテンツIDに基づいて、該デジタルコンテンツの利用制限種別、超過フラグを確認する（ステップＳ６０４）。例えば、デジタルコンテンツ管理部１０６は、デジタルコンテンツ管理テーブル１１０４を参照し、コンテンツ再生要求に含まれるデジタルコンテンツIDに対応する利用制限種別、超過フラグを取得する。
【００５４】
携帯端末１００は、超過フラグがオンであるかを判断する（ステップＳ６０６）。例えば、デジタルコンテンツ管理部１０６は、取得した超過フラグがオンであるか、言い換えれば該超過フラグが該デジタルコンテンツを利用できる残りの期間又は回数を超えたことを示すものであるかを判断する。
【００５５】
超過フラグがオンである場合（ステップＳ６０６：ＹＥＳ）、携帯端末１００は、該デジタルコンテンツを再生せずに終了する。この場合、携帯端末１００は、再生できないことをユーザに通知するようにしてもよい。また、携帯端末１００は、再生できないことと共に、その理由を通知するようにしてもよい。一方、超過フラグがオンでない場合（ステップＳ６０６：ＮＯ）、携帯端末１００は、該デジタルコンテンツを再生する（ステップＳ６０８）。例えば、デジタルコンテンツ管理部１０６は、該デジタルコンテンツを再生するように、再生部１１４に命令する。再生部１１４は、デジタルコンテンツ管理部１０６による命令に従って、記憶部１１０に格納されたデジタルコンテンツのうち、該当するデジタルコンテンツの再生を行う。
【００５６】
携帯端末１００は、ステップＳ６０４において取得した利用制限種別の分析を行う（ステップＳ６１０）。例えば、デジタルコンテンツ管理部１０６は、取得した利用制限種別が、無制限（０）、回数（１）、期限（２）及び期間（３）のうちいずれに該当するかを判断する。
【００５７】
携帯端間１００は、利用制限種別が無線限（０）、期限（２）及び期間（３）である場合に、終了する。例えば、デジタルコンテンツ管理部１０６は、取得した利用制限種別が無制限（０）、期限（２）及び期間（３）のうちいずれかに該当する場合には、デジタルコンテンツ管理テーブルの更新は不要であると判断し、終了する。一方、携帯端間１００は、利用制限種別が回数（１）である場合、デジタルコンテンツ管理テーブル１１０４に含まれる残利用制限値をカウントダウンする（ステップＳ６１２）。例えば、デジタルコンテンツ管理部１０６は、取得した利用制限種別が回数（１）に該当する場合には、デジタルコンテンツ管理テーブルの更新が必要であると判断する。そして、デジタルコンテンツ管理部１０６は、デジタルコンテンツ管理テーブル１１０４に含まれる残利用制限値を、カウントダウン、すなわち１減少させる。
【００５８】
携帯端末１００は、デジタルコンテンツ管理テーブル１１０４に含まれる残利用制限値が０であるかを判断する（ステップＳ６１４）。例えば、デジタルコンテンツ管理部１０６は、デジタルコンテンツ管理テーブル１１０４に含まれる残利用制限値が更新されたことにより、該残利用制限値が０になったかを判断する。
【００５９】
残利用制限値が０でない場合、終了する。一方、残利用制限値が０である場合、携帯端末１００は、該デジタルコンテンツに対応する超過フラグをオンにする（ステップＳ６１６）。例えば、デジタルコンテンツ管理部１０６は、残利用制限値が０である場合、該デジタルコンテンツに対応する超過フラグをオンにする。
【００６０】
次に、タイマ部１１６により、デジタルコンテンツ管理テーブルが自動的に更新される処理について、図７を参照して説明する。
【００６１】
タイマ部１１６が起動される（ステップＳ７０２）。例えば、デジタルコンテンツ管理部１０６は、タイマ部１１６を起動する。本実施例においては、タイマ部１１６が、１日１回の定刻に起動される場合について説明する。このタイマ部１１６が起動される周期は一例であり、異なる周期としてもよい。
【００６２】
携帯端末１００は、利用制限種別の分析を行う（ステップＳ７０４）。例えば、デジタルコンテンツ管理部１０６は、デジタルコンテンツ管理部１０６に格納された利用制限種別が無制限（０）、回数（１）、期限（２）及び期間（３）のうちいずれに該当するかを判断する。
【００６３】
携帯端間１００は、利用制限種別が無線限（０）又は回数（１）である場合、終了する。例えば、デジタルコンテンツ管理部１０６は、利用制限種別が、無線限（０）又は回数（１）に該当する場合には、デジタルコンテンツ管理テーブルの更新は不要であると判断し、終了する。一方、携帯端間１００は、利用制限種別が期限（２）又は期間（３）である場合、デジタルコンテンツ管理テーブル１１０４に含まれる残利用制限値を、カウントダウンする（ステップＳ７０６）。例えば、デジタルコンテンツ管理部１０６は、取得した利用制限種別が期限（２）又は期間（３）に該当する場合には、デジタルコンテンツ管理テーブルの更新が必要であると判断する。そして、デジタルコンテンツ管理部１０６は、デジタルコンテンツ管理テーブル１１０４に含まれる残利用制限値をカウントダウン、すなわち１減少させる。
【００６４】
携帯端末１００は、デジタルコンテンツ管理テーブル１１０４に含まれる残利用制限値が０であるかを判断する（ステップＳ７０８）。例えば、デジタルコンテンツ管理部１０６は、デジタルコンテンツ管理テーブル１１０４に含まれる残利用制限値が更新されたことにより、該残利用制限値が０になったかを判断する。
【００６５】
残利用制限値が０でない場合、終了する。一方、残利用制限値が０である場合、携帯端末１００は、該デジタルコンテンツに対応する超過フラグをオンにする（ステップＳ７１０）。例えば、デジタルコンテンツ管理部１０６は、残利用制限値が０である場合、該デジタルコンテンツに対応する超過フラグをオンにする。
【００６６】
次に、デジタルコンテンツが自動的に削除される処理について、図８を参照して説明する。
【００６７】
タイマ部１１６が起動される（ステップＳ８０２）。例えば、デジタルコンテンツ管理部１０６は、タイマ部１１６を起動する。本実施例においては、タイマ部１１６が、１日１回の定刻に起動される場合について説明する。このタイマ部１１６が起動される周期は一例であり、異なる周期としてもよい。
【００６８】
携帯端末１００は、超過フラグがオンであるデジタルコンテンツが存在するかを判断する（ステップＳ８０４）。例えば、デジタルコンテンツ管理部１０６は、デジタルコンテンツ管理テーブル１１０４を参照し、超過フラグがオンであるデジタルコンテンツが存在するかを判断する。
【００６９】
超過フラグがオンであるデジタルコンテンツが存在しない場合（ステップＳ８０４：ＮＯ）、ステップＳ８０４に戻る。そして、定期的に起動されたタイマに従って、次の起動時にステップＳ８０４で説明した処理を行う。一方、超過フラグがオンであるデジタルコンテンツが存在する場合（ステップＳ８０４：ＹＥＳ）携帯端末１００は、削除フラグをオンにする（ステップＳ８０６）。例えば、デジタルコンテンツ管理部１０６は、デジタルコンテンツ管理テーブル１１０４を参照し、超過フラグがオンであるデジタルコンテンツの削除フラグをオンにする。
【００７０】
携帯端末１００は、削除フラグがオンであるデジタルコンテンツを削除する（ステップＳ８０８）。例えば、デジタルコンテンツ管理部１０６は、削除フラグをオンにしたデジタルコンテンツを削除する命令をデジタルコンテンツ格納部１０８に行う。デジタルコンテンツ格納部１０８は、デジタルコンテンツ管理部１０６による命令により、記憶部１１０に格納されたデジタルコンテンツ１１０２のうち、該当するデジタルコンテンツを削除する。
【００７１】
携帯端末１００は、削除フラグがオンであるデジタルコンテンツに対応するブックマークに削除されたことを示すマークを付与する（ステップＳ８１０）。例えば、デジタルコンテンツ管理部１０６は、削除フラグをオンにしたデジタルコンテンツに対応するブックマークに削除されたことを示すマークを付与するように、ブックマーク生成部１１２に行う。
ブックマーク生成部１１２は、デジタルコンテンツ管理部１０６による命令により、記憶部１１０に格納されたブックマーク１０６のうち、該当するブックマークに削除されたことを示すマークを付与する。
【００７２】
ここで、ステップＳ８１０の処理を先に行い、ステップＳ８０８の処理を後に行うようにしてもよい。
【００７３】
本実施例によれば、コンテンツプロバイダから取得したデジタルコンテンツに含まれるコンテンツ情報及び該デジタルコンテンツが取得された場合に最後にアクセスしたURLを記録することができる。そして、取得した情報からデジタルコンテンツのタイトルと取得先をブックマークとして登録し、保存することができる。ここで、コンテンツの情報には、タイトル、ファイル名、利用制限の条件、取得先等の情報が含まれるようにしてもよい。また、利用制限の条件には、利用回数、利用期間等が含まれるようにしてもよい。
【００７４】
本実施例によれば、図９に示すように、一方の携帯端末１００２において、他方の携帯端末１００１において取得されていたデジタルコンテンツを取得することができる。一方の携帯端末１００２において、他方の携帯端末１００１において取得されていたデジタルコンテンツを取得する場合には、機種変更が含まれる。例えば、保存されたデジタルコンテンツに対応するブックマークが、他方の携帯端末１００１から一方の携帯端末１００２に移行される。このようにすることにより、容易にデジタルコンテンツの取得先の情報を一方の携帯端末に移行できる。他方の携帯端末から一方の携帯端末にブックマークを移行させる手段としては、有線でもよいし、無線でもよい。例えば、ケーブルにより接続して移行させるようにしてもよい。また、例えば、近距離無線通信技術により、移行させるようにしてもよい。近距離無線通信技術には、赤外線通信が含まれる。
【００７５】
また、一方の携帯端末においては、移行されたブックマークに基づいて、直接（ダイレクトに）コンテンツプロバイダのコンテンツ取得先にアクセスできる。このため、一方の携帯端末では、余計なトラフィックを発生させることなく、以前の携帯端末（他方の携帯端末）で楽しんでいたお気に入りのデジタルコンテンツを取得することができる。また、余計なトラフィックが発生しないため、余計な課金を低減できる。
【００７６】
また、デジタルコンテンツの取得先をブックマーク形式で保存することにより、ブックマーク形式を利用できる全ての携帯端末において利用できる。
【００７７】
また、本実施例によれば、おすすめのデジタルコンテンツを友人・知人に紹介する際、デジタルコンテンツブックマークを渡すことにより、該デジタルコンテンツの取得先を容易に紹介できる。
【００７８】
また、ブックマークを選択することにより、直接該デジタルコンテンツの取得先にアクセスすることにより、複数のコンテンツプロバイダにより提供されているデジタルコンテンツであっても、間違いなく、他の携帯端末のユーザが今まで聞いていたデジタルコンテンツの提供先から容易に再取得することができる。
【００７９】
また、本実施例によれば、取得したデジタルコンテンツの利用制限の条件が管理されているため、利用制限を超えた不要なデジタルコンテンツを判別して自動的に削除することが可能となる。自動的に不要なデジタルコンテンツを削除することで携帯端末のメモリーおよびHD等の記憶媒体の有効利用とユーザの操作の軽減を図ることができる。利用制限には、利用回数、利用期間等が含まれる。
【００８０】
また、本実施例によれば、利用制限を超えた不要なデジタルコンテンツを自動削除する際、削除されたことをブックマークに表示することができる。このため、図１０に示すように、携帯端末の記憶媒体から削除されたデジタルコンテンツであっても、該ブックマークから容易に再取得することができる。
【００８１】
また、本実施例によれば、余計な通信コストを発生させずに、携帯端末上で実現できる。
【００８２】
以上の実施例を含む実施形態に関し、更に、以下の付記を開示する。
（付記１）
デジタルコンテンツの提供先を示す情報を取得する手段と、
前記デジタルコンテンツに含まれるコンテンツ情報を取得する手段と、
前記コンテンツ情報と、前記デジタルコンテンツの提供先を示す情報を登録する手段と、
前記登録された前記コンテンツ情報及びデジタルコンテンツの提供先を示す情報を他の携帯端末に通知する手段と
を有する携帯端末。
（付記２）
付記１に記載の携帯端末において、
前記登録する手段は、該デジタルコンテンツの提供先に対応するブックマークを生成し、
前記通知する手段は、前記デジタルコンテンツの提供先に対応するブックマークを他の携帯端末に通知する携帯端末。
（付記３）
付記１又は２に記載の携帯端末において、
前記デジタルコンテンツの提供先は、前記デジタルコンテンツのURL(Uniform  Resource  Locator)である携帯端末。
（付記４）
付記１ないし３のいずれか１項に記載の携帯端末において、
前記コンテンツ情報には、前記デジタルコンテンツのタイトルが含まれる携帯端末。
（付記５）
請求項１ないし４のいずれか１項に記載の携帯端末において、
前記デジタルコンテンツの提供先を示す情報を取得する手段は、ダウンロードしているデジタルコンテンツの取得先を示す情報を取得する携帯端末。
（付記６）
付記１ないし５のいずれか１項に記載の携帯端末において、
前記デジタルコンテンツには、静止画、動画、音楽、ゲーム、アプリ、ツール及びドキュメントのいずれか１つが含まれる携帯端末。
（付記７）
付記１ないし６のいずれか１項に記載の携帯端末において、
利用できないデジタルコンテンツを削除する手段
を有し、
前記コンテンツ情報には、当該デジタルコンテンツの利用の制限に関する情報が含まれ、
前記削除する手段は、前記利用の制限に関する情報に基づいて、利用できないデジタルコンテンツを削除する携帯端末。
（付記８）
付記７に記載の携帯端末において、
前記登録する手段は、前記前記利用の制限に関する情報に基づいて、登録された前記コンテンツ情報及びデジタルコンテンツの提供先を示す情報を更新する携帯端末。
（付記９）
付記７又は８に記載の携帯端末において、
前記登録された前記コンテンツ情報及びデジタルコンテンツの提供先を示す情報のうち、削除されたデジタルコンテンツに対応するものに対して、削除されたことを表示する携帯端末。
（付記１０）
付記７又は８に記載の携帯端末において、
前記利用の制限に関する情報には、利用無制限、利用期限、利用回数及び利用期間のうち、少なくとも１つの情報が含まれる携帯端末。
（付記１１）
携帯端末が、デジタルコンテンツの提供先を示す情報を取得するステップと、
前記携帯端末が、前記デジタルコンテンツに含まれるコンテンツ情報を取得するステップと、
前記携帯端末が、前記コンテンツ情報と、前記デジタルコンテンツの提供先を示す情報を登録するステップと、
前記携帯端末が、前記登録された前記コンテンツ情報及びデジタルコンテンツの提供先を示す情報を他の携帯端末に通知するステップと
を有する方法。
（付記１２）
付記１１に記載の方法において、
前記登録するステップは、該デジタルコンテンツの提供先に対応するブックマークを生成し、
前記通知するステップは、前記デジタルコンテンツの提供先に対応するブックマークを他の携帯端末に通知する方法。
【図面の簡単な説明】
【００８３】
【図１】一実施例に係るコンテンツ提供システムの一例を示す部分ブロック図である。
【図２】一実施例に係るブックマークの表示の一例を示す説明図である。
【図３】一実施例に係るデジタルコンテンツ管理テーブルの一例を示す説明図である。
【図４】一実施例に係るデジタルコンテンツブックマークの一例を示す説明図である。
【図５】一実施例に係る携帯端末の動作を示すフロー図である。
【図６】一実施例に係る携帯端末の動作を示すフロー図である。
【図７】一実施例に係る携帯端末の動作を示すフロー図である。
【図８】一実施例に係る携帯端末の動作を示すフロー図である。
【図９】一実施例に係るコンテンツ提供システムの一例を示す説明図である。
【図１０】一実施例に係るコンテンツ提供システムの一例を示す説明図である。
【符号の説明】
【００８４】
１００（１００１、１００２）  携帯端末
１０２  送受信部
１０４  解析部
１０６  デジタルコンテンツ管理部
１０８  デジタルコンテンツ格納部
１１０  記憶部
１１０２  デジタルコンテンツ
１１０４  デジタルコンテンツ管理テーブル
１１０６  ブックマーク
１１２  ブックマーク生成部
１１４  再生部
２００  基地局
３００  通信網
４００  コンテンツプロバイダ
【図１】
2009251882.tif 000003
【図２】
2009251882.tif 000004
【図３】
2009251882.tif 000005
【図４】
2009251882.tif 000006
【図５】
2009251882.tif 000007
【図６】
2009251882.tif 000008
【図７】
2009251882.tif 000009
【図８】
2009251882.tif 000010
【図９】
2009251882.tif 000011
【図１０】
2009251882.tif 000012